(57)【要約】【課題】メニューの数を増やすことなく、ユーザーの使用するメニュー項目を容易に選択できるようにする。【解決手段】プロジェクターは、タブ毎に複数のメニュー項目を有するタブ形式のメニューを表示する。プロジェクターは、メニュー項目を選択している状態でリモコンの付箋ボタンが押されると、選択しているメニュー項目に付箋画像を付ける。プロジェクターは、メニュー項目に付箋画像Ｌ１〜Ｌ７が付けられている場合、上向き又は下向きのカーソルボタンが押されると、付箋画像Ｌ１〜Ｌ７のいずれかを選択する。プロジェクターは、付箋画像が選択されている状態でリモコンの决定ボタンが押されると、付箋画像が付けられているメニュー項目の設定画面を表示する。【選択図】図１４
2014095973.tif 000002
【特許請求の範囲】
【請求項１】
複数のメニュー項目を有するメニューを表示する表示装置であって、
前記複数のメニュー項目のうち目印画像を付けるメニュー項目を記憶する記憶部と、
前記記憶部に記憶されているメニュー項目に前記目印画像を付けたメニューを表示する表示部と
を有する表示装置。
【請求項２】
前記複数のメニュー項目において、目印画像を付けるメニュー項目を設定して前記記憶部に書き込む書込部
を有する請求項１に記載の表示装置。
【請求項３】
前記書込部は、前記複数のメニュー項目において設定が行われたメニュー項目の履歴を前記記憶部に書き込み、
前記表示部は、前記記憶部に書き込まれた履歴を表示し、
前記書込部は、表示された前記履歴において、目印画像を付けるメニュー項目を設定して前記記憶部に記憶させる
請求項２に記載の表示装置。
【請求項４】
前記書込部は、前記複数のメニュー項目において操作されたメニュー項目を、目印画像を付けるメニュー項目として設定して前記記憶部に記憶させる
請求項２または３に記載の表示装置。
【請求項５】
前記複数のメニュー項目のうち、前記目印画像が付けられたメニュー項目を操作対象として選択する選択部
を有する請求項１乃至請求項４のいずれか一項に記載の表示装置。
【請求項６】
前記メニューは、タブ形式のメニューであり、前記タブを操作対象として選択する操作と、前記目印画像が付けられたメニュー項目を操作対象として選択する操作とが同じである
請求項５に記載の表示装置。
【請求項７】
前記表示部は、選択されている目印画像が付けられているメニュー項目の設定を行う設定画面の表示を指示する操作が行われた場合、当該設定画面を前記表示する
請求項５又は請求項６に記載の表示装置。
【請求項８】
複数のメニュー項目を有するメニューを表示する表示方法であって、
前記複数のメニュー項目のうち目印画像を付けるメニュー項目を記憶した記憶部から、記憶されているメニュー項目を読み出すステップと、
前記ステップで読み出したメニュー項目に前記目印画像を付けたメニューを表示するステップと
を有する表示方法。
【発明の詳細な説明】
【技術分野】
【０００１】
本発明は、メニューを有するユーザーインターフェースに関する。
【背景技術】
【０００２】
メニューの操作に関する発明として、例えば、特許文献１に開示されている画像表示装置がある。この画像表示装置は、ユーザーがカスタマイズできるユーザーメニューを有している。よく使用する機能をユーザーがユーザーメニューに設定すれば、ユーザーは、階層化されたメニューを遷移させることなく、よく使用する機能の設定画面に容易にたどり着くことができる。
【先行技術文献】
【特許文献】
【０００３】
【特許文献１】特開２０１０−１４０２２３号公報
【発明の概要】
【発明が解決しようとする課題】
【０００４】
特許文献１の画像表示装置によれば、ユーザーがよく使用する機能の設定画面を容易に表示させることができる。しかしながら、この画像表示装置においては、予め用意されているメニューとは別にユーザーメニューを設けるため、メニューの数が多くなり、ユーザーメニューに切り替える必要がある。
【０００５】
本発明は、上述した事情に鑑みてなされたものであり、その目的の一つは、メニューの数を増やすことなく、ユーザーの使用するメニュー項目を容易に選択できるようにすることにある。
【課題を解決するための手段】
【０００６】
上記目的を達成するため、本発明に係る表示装置は、複数のメニュー項目を有するメニューを表示する表示装置であって、前記複数のメニュー項目のうち目印画像を付けるメニュー項目を記憶する記憶部と、前記記憶部に記憶されているメニュー項目に前記目印画像を付けたメニューを表示する表示部とを有する。
この構成によれば、よく使用するメニュー項目を目印画像を付けるメニュー項目として記憶させれば、メニューを表示したときにメニュー項目に目印画像が付けられ、よく使用するメニュー項目を容易に識別できるため、メニューの数を増やすことなく、ユーザーの使用するメニュー項目を容易に選択することができる。
【０００７】
前記表示装置においては、前記複数のメニュー項目において、目印画像を付けるメニュー項目を設定して前記記憶部に書き込む書込部を有する構成としてもよい。
この構成によれば、設定が行われたことがあるメニュー項目に目印画像を付けてメニューが表示されるため、設定を行ったことがあるメニュー項目を容易に識別できメニュー項目を容易に選択することができる。
【０００８】
前記表示装置においては、前記書込部は、前記複数のメニュー項目において設定が行われたメニュー項目の履歴を前記記憶部に書き込み、前記表示部は、前記記憶部に書き込まれた履歴を表示し、前記書込部は、表示された前記履歴において、目印画像を付けるメニュー項目を設定して前記記憶部に記憶させる構成としてもよい。
この構成によれば、設定が行われたことがあるメニュー項目の履歴を表示し、表示したメニュー項目のなかで操作されたメニュー項目を、目印画像を付けるメニュー項目として記憶部に記憶させる。メニューを表示するときには、設定が行われたことがあるメニュー項目に目印画像を付けてメニューが表示されるため、設定を行ったことがあるメニュー項目を容易に識別できメニュー項目を容易に選択することができる。
【０００９】
前記表示装置においては、前記書込部は、前記複数のメニュー項目において操作されたメニュー項目を、目印画像を付けるメニュー項目として設定して前記記憶部に記憶させる構成としてもよい。
この構成によれば、操作されたメニュー項目に目印画像を付けてメニューが表示されるため、操作されたことがあるメニュー項目を容易に識別できメニュー項目を容易に選択することができる。
【００１０】
前記表示装置においては、前記複数のメニュー項目のうち、前記目印画像が付けられたメニュー項目を操作対象として選択する選択部を有する構成としてもよい。
この構成によれば、メニューの操作を行うときに目印画像が操作対象として選択されるため、ユーザーの使用するメニュー項目だけを容易に選択することができる。
【００１１】
前記表示装置においては、前記メニューは、タブ形式のメニューであり、前記タブを操作対象として選択する操作と、前記目印画像が付けられたメニュー項目を操作対象として選択する操作とが同じである構成としてもよい。
この構成によれば、メニュー内における操作が同じとなり、タブや付箋画像の選択が容易となる。
【００１２】
前記表示装置においては、前記表示部は、選択されている目印画像が付けられているメニュー項目の設定を行う設定画面の表示を指示する操作が行われた場合、当該設定画面を前記表示する構成としてもよい。
この構成によれば、メニュー項目の設定画面が表示されるため、設定を容易に行うことができる。
【００１３】
また、上記目的を達成するために本発明に係る表示方法は、複数のメニュー項目を有するメニューを表示する表示方法であって、前記複数のメニュー項目のうち目印画像を付けるメニュー項目を記憶した記憶部から、記憶されているメニュー項目を読み出すステップと、前記ステップで読み出したメニュー項目に前記目印画像を付けたメニューを表示するステップとを有する。
この構成によれば、この構成によれば、よく使用するメニュー項目を目印画像を付けるメニュー項目として記憶させれば、メニューを表示したときにメニュー項目に目印画像が付けられ、よく使用するメニュー項目を容易に識別できるため、メニューの数を増やすことなく、ユーザーの使用するメニュー項目を容易に選択することができる。
【図面の簡単な説明】
【００１４】
【図１】プロジェクター１の外観図。
【図２】プロジェクター１のハードウェア構成を示したブロック図。
【図３】制御部１０２において実現する機能の構成を示した機能ブロック図。
【図４】制御部１０２が行う処理の流れを示したフローチャート。
【図５】制御部１０２が行う処理の流れを示したフローチャート。
【図６】制御部１０２が行う処理の流れを示したフローチャート。
【図７】表示されるメニューの一例を示した図。
【図８】表示されるメニューの一例を示した図。
【図９】表示されるメニューの一例を示した図。
【図１０】表示されるメニューの一例を示した図。
【図１１】表示されるメニューの一例を示した図。
【図１２】表示されるサブメニューの一例を示した図。
【図１３】表示されるサブメニューの一例を示した図。
【図１４】タブＴ１〜Ｔ７のメニュー項目に付けられた付箋画像の模式図。
【図１５】記憶された履歴の一例を示した図。
【図１６】履歴メニューの一例を示した図。
【図１７】第３実施形態の制御部１０２が行う処理の流れを示したフローチャート。
【図１８】第３実施形態の制御部１０２が行う処理の流れを示したフローチャート。
【図１９】変形例に係るメニューの一例を示した図。
【発明を実施するための形態】
【００１５】
［第１実施形態］
図１は、本発明の一実施形態に係るプロジェクター１の外観図である。プロジェクター１は、液晶プロジェクターであり、入力される映像信号が表す映像をスクリーンに投写して表示する。また、プロジェクター１は、表示する映像の調整や画質の調整、各種機能の設定などを行うためのメニューを表示する。
【００１６】
図２は、プロジェクター１のハードウェア構成を示したブロック図である。図２に示したように、プロジェクター１の各部はバス１０１により接続されている。
制御部１０２は、ＣＰＵ（Central Processing Unit）１０２Ａ、ＲＯＭ（Read Only Memory）１０２Ｂ及びＲＡＭ（Random Access Memory）１０２Ｃを備えている。ＣＰＵ１０２Ａが、ＲＯＭ１０２Ｂに記憶されているプログラムを、ＲＡＭ１０２Ｃを作業エリアとして実行すると、外部装置から入力された映像信号が表す映像を投写する機能や、投写映像を調整する機能などの各種機能が実現する。また、ＣＰＵ１０２Ａがプログラムを実行すると、プロジェクター１の各種調整を行うためのメニューを表示する機能や、メニュー項目に目印画像の一例である付箋の画像（以下、付箋画像と称する）を付ける機能などが実現する。
【００１７】
操作部１０４は、プロジェクター１を操作するための複数のボタンを備えている。プロジェクター１は、ユーザーが操作部１０４を操作すると、操作部１０４で行われた操作に応じて動作する。
記憶部１０３は、不揮発性メモリーを有しており、メニューで行った設定や、付箋画像に関係する情報など、各種の設定や情報を記憶する。
赤外線受信部１０５は、プロジェクター１を操作するリモートコントローラー（以下、リモコンと略称する）から送信された赤外線信号を受信する。リモートコントローラーは、複数のボタンを有しており、押されたボタンに対応した信号を送信する。赤外線受信部１０５は、この送信された赤外線信号を受信する。プロジェクター１は、赤外線受信部１０５が赤外線信号を受信すると、受信した信号に応じて動作する。
【００１８】
ＯＳＤ（On Screen Display）部１０８は、映像信号が表す映像に重ねて表示する画像を生成する。ＯＳＤ部１０８は、メニューの画像や、プロジェクター１の状態を示す文字列の画像などを生成し、生成した画像を映像処理部１０６へ出力する。
映像処理部１０６は、外部装置から供給される映像信号を取得する。また、映像処理部１０６は、ＯＳＤ部１０８が出力した画像を取得する。映像処理部１０６は、取得した映像信号が表す画像と、ＯＳＤ部１０８が出力した画像とを合成し、合成により得られた画像を投写部１０７へ供給する。
【００１９】
投写部１０７は、光源、液晶ライトバルブ、液晶駆動回路及び投写レンズを有している。光源は、光を発するランプを備えている。光源が発した光は、赤、緑、青の光に分光され、分光された赤、緑、青の各光は各色に対応した液晶ライトバルブに導かれる。
液晶駆動回路は、映像処理部１０６から供給される画像を取得する。取得した画像は、投写する映像における赤の成分の階調を表す階調情報、投写する映像における緑の成分の階調を表す階調情報及び投写する映像における青の成分の階調を表す階調情報を有する。液晶駆動回路は、赤、緑、青の各色の階調情報を抽出し、抽出した各色の階調情報に基づいて、各色に対応した液晶ライトバルブを駆動する。
液晶ライトバルブは、透過型の液晶パネルであり、複数行複数列でマトリクス状に配置された画素を備えている。投写部１０７は、三つの液晶ライトバルブを有しており、赤の光が入射する液晶ライトバルブは赤の階調情報に基づいて駆動され、緑の光が入射する液晶ライトバルブは緑の階調情報に基づいて駆動され、青の光が入射する液晶ライトバルブは青の階調情報に基づいて駆動される。各液晶ライトバルブは、液晶駆動回路によって各画素が制御されて画素の透過率が変化する。画素の透過率が制御されることにより、液晶ライトバルブを透過した各色の光は、各階調情報に対応した映像となる。液晶ライトバルブを透過した赤、緑、青の光の映像は、合成されて投写レンズに入射する。投写レンズは、入射した映像を拡大するレンズであり、入射した映像を拡大してスクリーンに投写する。
【００２０】
図３は、プロジェクター１において実現する機能のうち、本実施形態に係る特徴的な機能の構成を示したブロック図である。
書込部２０１は、メニューで行った設定や付箋画像に係る情報などを記憶部１０３に書き込むブロックである。表示制御部２０２は、映像信号が表す映像に重ねて表示する画像の生成をＯＳＤ部１０８に指示するブロックである。表示制御部２０２が、ＯＳＤ部１０８を制御することにより、メニュー項目に付箋画像が付けられたメニューが表示される。選択部２０３は、赤外線受信部１０５が受信した赤外線信号に基づいて、表示されるＯＳＤの画像において操作対象となるメニュー項目や設定項目などの要素を選択するブロックである。選択部２０３は、選択した要素が他の要素と異なる表示となるように、ＯＳＤ部１０８に指示を出す。
表示制御部２０２、選択部２０３、ＯＳＤ部１０８、映像処理部１０６及び投写部１０７が協働することにより、ＯＳＤの画像を表示する表示部が実現する。
【００２１】
（第１実施形態の動作例）
次に、第１実施形態の動作例について説明する。なお、以下の説明においては、まず、メニューにおいて表示されるメニュー項目に付箋画像を付けるときの動作例を説明し、次に付箋画像が付けられたメニューを操作するときの動作例について説明する。
【００２２】
（メニューの項目に付箋画像を付けるときの動作例）
まず、ユーザーがリモコンに設けられているメニューボタンを押すと、このボタンが押されたことを表す赤外線信号がリモコンから送信される。赤外線受信部１０５は、リモコンから送信された赤外線信号を受信する。制御部１０２が、赤外線受信部１０５が受信した赤外線信号に応じてＯＳＤ部１０８を制御すると、メニューの画像がＯＳＤ部１０８から映像処理部１０６へ出力される。映像処理部１０６は、ＯＳＤ部１０８から出力された画像と、取得した映像信号の画像とを合成して得られた画像を投写部１０７へ出力する。投写部１０７は、映像処理部１０６から出力された画像を取得し、取得した画像に応じて液晶ライトバルブを駆動する。投写部１０７が液晶ライトバルブを駆動すると、メニューがスクリーンに投写される。
【００２３】
図７は、本実施形態で表示されるメニューＭ１を示した図である。メニューＭ１は、複数のタブＴ１〜Ｔ７を有するタブ形式のメニューである。各タブは複数のメニュー項目を含み、各メニュー項目にはメニュー項目を一意に識別するための通し番号が割り当てられている。各タブにおいては複数行でメニュー項目が表示され、タブＴ１の１行目のメニュー項目からタブＴ７の最下行のメニュー項目まで、１から順番に通し番号が割り当てられている。
メニューＭ１が表示されていない状態からメニューＭ１を表示した場合、複数行で並んだタブの見出しのうち、図７に示したように１行目の見出しが選択された状態となり、１行目の見出しに対応したタブＴ１が表示される。リモコンには、上向き、下向き、左向き及び右向きのカーソルボタンが設けられている。制御部１０２は、タブＴ１が表示されている状態でリモコンの下向きのカーソルボタンが押されると、１行下にある２行目の見出しを選択する。２行目の見出しが選択されると、図８に示したようにタブＴ２が表示される。制御部１０２は、下向きのカーソルボタンが押されると、カーソルボタンが押される毎に１行下の見出しを選択し、選択した見出しのタブが表示されるようにＯＳＤ部１０８を制御する。また、制御部１０２は、リモコンの上向きのカーソルボタンが押されると、カーソルボタンが押される毎に１行上の見出しを選択し、選択した見出しのタブが表示されるようにＯＳＤ部１０８を制御する。
【００２４】
また、制御部１０２は、タブＴ１〜Ｔ７のいずれかが表示されている状態でリモコンに設けられている决定ボタンが押されると、タブにおいて表示されているメニュー項目を操作対象として選択する。制御部１０２は、メニュー項目を操作対象とした場合、下向きのカーソルボタンが押されると、カーソルボタンが押される毎に１行下のメニュー項目を選択する。制御部１０２は、例えば、図９に示したように１行目のメニュー項目を選択している状態でリモコンの下向きのカーソルボタンが押されると、図１０に示したように、２行目のメニュー項目を選択する。また、制御部１０２は、メニュー項目を操作対象とした場合、上向きのカーソルボタンが押されると、カーソルボタンが押される毎に１行上のメニュー項目を選択する。例えば、図１０に示したように２行目のメニュー項目を選択している状態でリモコンの上向きのカーソルボタンが押されると、図９に示したように、１行目のメニュー項目を選択する。
【００２５】
制御部１０２は、メニュー項目を選択している状態でリモコンに設けられている付箋ボタンが押されると、図４に示した処理を実行する。具体的には、まず制御部１０２は、選択しているメニュー項目に付箋画像が付けられているか判断する。制御部１０２（表示制御部２０２）は、選択しているメニュー項目に付箋画像が付けられていない場合（ステップＳＡ１でＮＯ）、選択しているメニュー項目に付箋画像を付ける（ステップＳＡ２）。また、制御部１０２（書込部２０１）は、付箋画像が付けられたメニュー項目名と、付箋画像が付けられたメニュー項目の通し番号とを対応付けて記憶部１０３に記憶させる（ステップＳＡ３）。一方、制御部１０２は、選択しているメニュー項目に付箋画像が付けられている場合（ステップＳＡ１でＹＥＳ）、付けられている付箋画像を消去し（ステップＳＡ４）、付箋画像を消去したメニュー項目名と、付箋画像を消去したメニュー項目の通し番号とを記憶部１０３から消去する（ステップＳＡ５）。
【００２６】
例えば、制御部１０２は、図９に示した状態で付箋ボタンが押されると、選択している１行目のメニュー項目に付箋画像Ｌを付け、１行目のメニュー項目名の「カラーモード」と、「カラーモード」に割り当てられている通し番号とを記憶部１０３に記憶させる。付箋画像Ｌが付けられると、表示されるメニューは図１１に示した状態となる。また、制御部１０２は、図１１に示した状態で付箋ボタンが押されると、１行目のメニュー項目に付けられている付箋画像Ｌを消去し。１行目のメニュー項目名の「カラーモード」と「カラーモード」の通し番号とを記憶部１０３から消去する。付箋画像Ｌが消去されると、表示されるメニューは図９に示した状態となる。
【００２７】
また、制御部１０２は、メニュー項目を選択している状態でリモコンに設けられている决定ボタンが押されると、選択しているメニュー項目の設定を行うメニュー（設定画面）が表示されるようにＯＳＤ部１０８を制御する。制御部１０２は、例えば、図９の状態で决定ボタンが押されると、図１２に示したサブメニューＭ２が表示されるようにＯＳＤ部１０８を制御する。制御部１０２は、サブメニューＭ２が表示されている状態でリモコンの下向きのカーソルボタンが押されると、１行下の設定項目を選択し、リモコンの上向きのカーソルボタンが押されると、１行上の設定項目を選択する。
【００２８】
制御部１０２は、サブメニューＭ２が表示されている状態でリモコンに設けられている决定ボタンが押されると、表示されている設定を記憶部１０３に記憶させる。
例えば、制御部１０２は、図１２の状態からリモコンの下向きのカーソルボタンが２回押されると、図１３に示したように２行下の設定項目を選択する。制御部１０２は、図１３の状態でリモコンの决定ボタンが押されると、カラーモードの設定として「シアター」を記憶部１０３に記憶させる。
【００２９】
（付箋画像が付けられたメニューを操作するときの動作例）
次に、付箋画像が付けられたメニューＭ１を操作するときの動作について説明する。図１４は、タブＴ１〜Ｔ７のメニュー項目に付された付箋画像の模式図である。図１４においては、タブＴ１のメニュー項目に付箋画像Ｌ１、Ｌ２が付けられ、タブＴ２のメニュー項目に付箋画像Ｌ３が付けられ、タブＴ３のメニュー項目に付箋画像Ｌ４が付けられている。また、図１４においては、タブＴ５のメニュー項目に付箋画像Ｌ５が付けられ、タブＴ６のメニュー項目に付箋画像Ｌ６が付けられ、タブＴ７のメニュー項目に付箋画像Ｌ７が付けられている。
【００３０】
制御部１０２は、メニュー項目に付箋画像が付けられており、一番上の行の見出しを選択しているとき又は１番下の行の見出しを選択しているときに、リモコンの上向き又は下向きのカーソルボタンが押された場合、図５に示した処理を実行する。
【００３１】
制御部１０２は（選択部２０３）、タブＴ１の見出しを選択しているときに（ステップＳＣ１でＹＥＳ）リモコンの上向きのカーソルボタンが押されると（ステップＳＣ２でＹＥＳ）、付箋画像を操作対象として選択する（ステップＳＣ５）。ここで、制御部１０２は、記憶部１０３に記憶させた通し番号において最大の通し番号に対応付けられているメニュー項目名を抽出する。制御部１０２は、抽出したメニュー項目名のメニュー項目を含むタブを表示し、抽出したメニュー項目名のメニュー項目に付けられている付箋画像を操作対象として選択する。
制御部１０２は、例えば、タブＴ１を選択している状態でリモコンの上向きのカーソルボタンが押されると、タブＴ７のメニュー項目を表示し、付箋画像Ｌ７を選択する。
【００３２】
また、制御部１０２（選択部２０３）は、タブＴ７の見出しを選択している状態（ステップＳＣ１でＮＯ、ステップＳＣ３でＹＥＳ）でリモコンの下向きのカーソルボタンが押されると（ステップＳＣ４でＹＥＳ）、付箋画像を選択する（ステップＳＣ５）。ここで、制御部１０２は、記憶部１０３に記憶させた通し番号において最小の通し番号に対応付けられているメニュー項目名を抽出する。制御部１０２は、抽出したメニュー項目名のメニュー項目を含むタブを表示し、抽出したメニュー項目名のメニュー項目に付けられている付箋画像を操作対象として選択する。
制御部１０２は、例えば、タブＴ７の見出しを選択している状態でリモコンの下向きのカーソルボタンが押されると、タブＴ１のメニュー項目を表示し、付箋画像Ｌ１を選択する。
【００３３】
制御部１０２は、付箋画像を選択している状態でリモコンの上向き又は下向きのカーソルボタンが押された場合、図６に示した処理を実行する。
制御部１０２は、上向きのカーソルボタンが押された場合（ステップＳＤ１でＹＥＳ）、選択している付箋画像が付けられているメニュー項目の通し番号より小さい通し番号が記憶部１０３に記憶されていると（ステップＳＤ２でＹＥＳ）、この小さい通し番号に対応付けて記憶されているメニュー項目名を記憶部１０３から抽出する（ステップＳＤ３）。制御部１０２は、抽出したメニュー項目名のメニュー項目を含むタブを表示し、抽出したメニュー項目名のメニュー項目に付けられている付箋画像を選択する（ステップＳＤ４）。
例えば、制御部１０２は、付箋画像Ｌ７を選択している状態でリモコンの上向きのカーソルボタンが押されると、タブＴ６のメニュー項目を表示し、付箋画像Ｌ６を選択する。制御部１０２は、上向きのカーソルボタンが押される毎に選択する付箋画像を変更する。図１４に示した例の場合、制御部１０２は、付箋画像Ｌ５→付箋画像Ｌ４→付箋画像Ｌ３→付箋画像Ｌ２→付箋画像Ｌ１という順番で付箋画像を選択し、選択した付箋画像が付けられているタブのメニュー項目を表示する。
【００３４】
また、制御部１０２は、下向きのカーソルボタンが押された場合（ステップＳＤ１でＮＯ）、選択している付箋画像が付けられているメニュー項目の通し番号より大きい通し番号が記憶部１０３に記憶されていると（ステップＳＤ５でＹＥＳ）、この通し番号より大きい通し番号に対応付けて記憶されているメニュー項目名を記憶部１０３から抽出する（ステップＳＤ３）。制御部１０２は、抽出したメニュー項目名のメニュー項目を含むタブを表示し、抽出したメニュー項目名のメニュー項目に付けられている付箋画像を選択する（ステップＳＤ４）。
例えば、制御部１０２は、付箋画像Ｌ１を選択している状態でリモコンの下向きのカーソルボタンが押されると、付箋画像Ｌ２を選択する。また、制御部１０２は、付箋画像Ｌ２を選択している状態で下向きのカーソルボタンが押されると、タブＴ２のメニュー項目を表示し、付箋画像Ｌ３を選択する。制御部１０２は、下向きのカーソルボタンが押される毎に選択する付箋画像を変更する。図１４に示した例の場合、制御部１０２は、付箋画像Ｌ４→付箋画像Ｌ５→付箋画像Ｌ６→付箋画像Ｌ７という付箋画像を選択し、選択した付箋画像が付けられているタブのメニュー項目を表示する。
【００３５】
なお、制御部１０２は、ステップＳＤ２でＮＯと判断した場合、タブＴ７のメニュー項目を表示し、タブＴ７の見出しを選択する（ステップＳＤ６）。また、制御部１０２は、ステップＳＤ５でＮＯと判断した場合、タブＴ１のメニュー項目を表示し、タブＴ１の見出しを選択する（ステップＳＤ７）。
【００３６】
また、制御部１０２は、付箋画像を選択しているときにリモコンの决定ボタンが押されると、選択している付箋画像が付けられているメニュー項目の設定を行うサブメニューが表示されるように、ＯＳＤ部１０８を制御する。制御部１０２は、例えば、付箋画像Ｌ１を選択しているときにリモコンの决定ボタンが押されると、付箋画像Ｌ１が付けられているメニュー項目のサブメニューを表示する。制御部１０２は、例えば、付箋画像Ｌ１が「カラーモード」のメニュー項目に付けられている場合、図１２に示したサブメニューＭ２が表示されるようにＯＳＤ部１０８を制御する。
【００３７】
以上説明したように本実施形態においては、ユーザーが、よく設定を行うメニュー項目に付箋画像を付ける操作を行うと、予め設けられているメニューを操作することで付箋画像を選択し、よく設定を行うメニュー項目を容易に表示させることができる。また、本実施形態においては、設定を行ったメニュー項目には、メニューＭ１を表示したときに付箋画像が付けられるため、設定を行ったことがあるメニュー項目を容易に表示させることができる。
【００３８】
［第２実施形態］
次に本発明の第２実施形態について説明する。本実施形態に係るプロジェクター１は、メニュー項目の設定の履歴を記憶する機能、記憶した履歴を表示する機能、表示された履歴からメニュー項目を選択し、サブメニューを表示する機能を有する点が第１実施形態と異なる。なお、他の構成は第１実施形態と同じであるため、以下、第１実施形態との相違点について説明し、第１実施形態と同じ構成については同じ符号を付してその説明を省略する。
【００３９】
（第２実施形態の動作例）
次に第２実施形態の動作例について説明する。なお、以下の説明においては、まず、メニュー項目の設定の履歴を記憶するときの動作例を説明し、次に記憶した履歴を表示し、表示された履歴からサブメニューを表示するときの動作例について説明する。
【００４０】
（メニュー項目の設定の履歴を記憶するときの動作例）
制御部１０２は、サブメニューＭ２が表示されている状態でリモコンに設けられている决定ボタンが押されると、表示されている設定を記憶部１０３に記憶させる。次に制御部１０２は、表示されているサブメニューのメニュー項目名を、この時点の日時と対応付け、設定履歴として記憶部１０３に記憶させる。
【００４１】
例えば、制御部１０２は、図１２に示したサブメニューが表示されている状態でリモコンの决定ボタンが押されると、メニュー項目名の「カラーモード」と、この時点の日時とを対応付けて記憶部１０３に記憶させる。
【００４２】
（記憶した履歴を表示し、表示された履歴から付箋画像を付けるときの動作例）
制御部１０２は、ユーザーがリモコンに設けられている履歴ボタンを押すと、記憶部１０３に記憶されている設定履歴を読み出し、読み出した設定履歴に含まれているメニュー項目名が表示されるように、ＯＳＤ部１０８を制御する。この場合、各メニュー項目を日付順に表示してもよい。
例えば、制御部１０２は、図１５に示したように設定履歴が記憶されている場合、メニュー項目名として、「カラーモード」、「音量」、「アスペクト」を抽出する。制御部１０２が、抽出したメニュー項目名が設定履歴として表示されるようにＯＳＤ部１０８を制御すると、図１６に示した履歴メニューが表示される。
【００４３】
制御部１０２は、履歴メニューを表示すると、図１６に示したように、履歴メニューの１行目のメニュー項目を選択する。制御部１０２は、図１６の状態でユーザーがリモコンの下向きのカーソルボタンを押すと、１行下のメニュー項目を選択する。また、制御部１０２は、ユーザーがリモコンの上向きのカーソルボタンを押すと、１行上のメニュー項目を選択する。
履歴メニューが表示されている状態で、リモコンに設けられている付箋ボタンが押されると、制御部１０２は、第１実施形態と同様に図４に示した処理を実行し、選択しているメニュー項目に対して付箋画像の付与または消去を行う。
【００４４】
例えば、図１６の状態で付箋ボタンが押されると、メニュー項目名「カラーモード」と、「カラーモード」の通し番号とが記憶部１０３に記憶される。制御部１０２は、メニュー項目名「カラーモード」と、「カラーモード」の通し番号とが記憶されている場合に、リモコンのメニューボタンが押されると、メニューＭ１を表示するときに図１１に示したように「カラーモード」のメニュー項目に付箋画像Ｌを付ける。
【００４５】
なお、制御部１０２は、履歴メニューが表示されている状態でリモコンに設けられている决定ボタンが押されると、選択しているメニュー項目の設定を行うサブメニューが表示されるようにＯＳＤ部１０８を制御する。
例えば、制御部１０２は、図１６に示したように「カラーモード」を選択している状態でリモコンの决定ボタンが押されると、図１２に示したサブメニューＭ２が表示されるようにＯＳＤ部１０８を制御する。
【００４６】
制御部１０２は、履歴メニューからサブメニューＭ２が表示された後、リモコンの决定ボタンが押されると、選択している設定項目に設定を変更し、設定を記憶部１０３に記憶させる。また、制御部１０２は、表示されているサブメニューのメニュー項目名に対応付けて記憶されている日時を更新する。
次に制御部１０２は、記憶部１０３に記憶されている設定履歴を読み出し、読み出した設定履歴に含まれているメニュー項目名が表示されるように、ＯＳＤ部１０８を制御し、履歴メニューを表示する。なお、制御部１０２は、履歴メニューを表示するのではなく、サブメニューＭ２を消去するようにしてもよい。
【００４７】
制御部１０２は、例えば、図１２のサブメニューＭ２が表示されている状態でリモコンの决定ボタンが押されると、メニュー項目名の「カラーモード」に対応付けられている日時を、この時点の日時に更新する。
【００４８】
このように本実施形態においては、ユーザーが設定したことがあるメニュー項目の履歴を表示し、履歴の中からメニュー項目に付箋画像を付けることができるため、より簡単に付箋画像を付けることができる。
【００４９】
［第３実施形態］
次に本発明の第３実施形態について説明する。本実施形態に係るプロジェクター１は、第１実施形態および第２実施形態において、サブメニューのメニュー項目が選択された状態で決定ボタンが押された場合に、付箋画像をメニュー項目に付ける機能を有する点が異なる。なお、他の構成は第１実施形態および第２実施形態と同じであるため、以下、第１実施形態および第２実施形態との相違点について説明し、第１実施形態および第２実施形態と同じ構成については同じ符号を付してその説明を省略する。
【００５０】
（メニューＭ１からサブメニューＭ２を表示したときの動作例）
制御部１０２は、メニューＭ１から遷移してサブメニューＭ２が表示されている状態でリモコンに設けられている决定ボタンが押されると、図１７に示した処理を実行する。
具体的には、まず制御部１０２は、表示されている設定を記憶部１０３に記憶させる（ステップＳＥ１）。また、制御部１０２は、表示しているサブメニューのメニュー項目名と、メニュー項目の通し番号とを、記憶部１０３に記憶させる（ステップＳＥ２）。次に制御部１０２は、表示されているサブメニューのメニュー項目名を、この時点の日時と対応付け、設定履歴として記憶部１０３に記憶させる（ステップＳＥ３）。また、制御部１０２は、ＯＳＤ部１０８を制御し、表示をメニューＭ１に戻す（ステップＳＥ４）。ここで制御部１０２は、記憶部１０３に記憶させたメニュー項目名のメニュー項目に付箋画像Ｌが付されるように、ＯＳＤ部１０８を制御する。
【００５１】
（履歴メニューからサブメニューＭ２を表示したときの動作例）
制御部１０２は、履歴メニューから遷移してサブメニューＭ２が表示されている状態でリモコンに設けられている决定ボタンが押されると、図１８に示した処理を実行する。
まず制御部１０２は、選択している設定項目に設定を変更し、設定を記憶部１０３に記憶させる（ステップＳＦ１）。次に制御部１０２は、表示しているサブメニューのメニュー項目名とメニュー項目の通し番号とを、記憶部１０３に記憶させる（ステップＳＦ２）。なお、制御部１０２は、既に同じメニュー項目名が記憶されている場合には、ステップＳＦ２の処理を行わず、ステップＳＦ３へ処理の流れを移す。
また、制御部１０２は、表示されているサブメニューのメニュー項目名を、この時点の日時と対応付け、設定履歴として記憶部１０３に記憶させる（ステップＳＦ３）。なお、制御部１０２は、既に同じメニュー項目名を履歴として記憶している場合、当該メニュー項目名に対応付けて記憶されている日時を更新する。
次に制御部１０２は、記憶部１０３に記憶されている設定履歴を読み出し、読み出した設定履歴に含まれているメニュー項目名が表示されるように、ＯＳＤ部１０８を制御し、履歴メニューを表示する（ステップＳＦ４）。
【００５２】
制御部１０２は、例えば、メニューＭ１又は履歴メニューから遷移して図１２のサブメニューＭ２が表示されている状態でリモコンの决定ボタンが押されると、メニュー項目名の「カラーモード」と、「カラーモード」の通し番号とが対応付けて記憶部１０３に記憶させる。また、制御部１０２は、メニュー項目名の「カラーモード」に対応付けられている日時を、この時点の日時に更新する。
【００５３】
制御部１０２は、メニュー項目名「カラーモード」と、「カラーモード」の通し番号とが記憶されたため、リモコンのメニューボタンが押されると、メニューＭ１を表示するときに図１１に示したように「カラーモード」のメニュー項目に付箋画像Ｌを付ける。
【００５４】
このように本実施形態においては、ユーザがメニュー項目の設定を行うと、設定が行われたメニュー項目に付箋画像を付けることができるため、メニューを操作することで付箋画像を選択し、設定を行ったことがあるメニュー項目を容易に表示させることができる。
【００５５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５６】
上述した実施形態においては、ＯＳＤのメニューを表示するのはプロジェクターであるが、ＯＳＤのメニューを表示し、メニューに付箋画像を付ける装置は、プロジェクターに限定されるものではない。例えば、携帯電話機、スマートフォン、ＡＶ機器、複写機、ファクシミリ装置、パーソナルコンピューター、ビデオカメラ、ナビゲーション装置、電子手帳、ワークステーション、ＰＯＳ（Point Of Sales）端末、デジタルカメラなど、液晶ディスプレイ又は有機ＥＬ（ElectroLuminescence）ディスプレイを有する他の装置であってもよい。
【００５７】
付箋画像を選択する構成は、上述した実施形態の構成に限定されるものではない。例えば、制御部１０２は、メニュー項目を選択しているときにリモコンの右向きのカーソルボタン又は左向きのカーソルボタンが押されると、付箋画像を選択するようにしてもよい。また、この変形例においては、付箋画像を選択しているときにリモコンの右向きのカーソルボタン又は左向きのカーソルボタンが押されると、選択している付箋画像が付けられているメニュー項目を選択するようにしてもよい。
また、制御部１０２は、タブの見出しを選択しているときにリモコンの右向きのカーソルボタン又は左向きのカーソルボタンが押されると、付箋画像を選択するようにしてもよい。この変形例においては、付箋画像を選択しているときにリモコンの右向きのカーソルボタン又は左向きのカーソルボタンが押されると、選択している付箋画像がつけられているメニュー項目を含むタブの見出しを選択するようにしてもよい。
【００５８】
上述した実施形態においては、制御部１０２で日時を計り、メニュー項目に付ける付箋画像に付箋画像を付けたときの日時を記述するようにしてもよい。なお、付箋画像に日時を記述する構成においては、記述された日時から経過した時間が予め定められた時間を越えた付箋画像については消去するようにしてもよい。また、付箋画像については、表示するときの色をユーザーが指定できるようにしてもよい。また、上述した実施形態においては、付箋画像の表示／非表示を切り換えられるようにしてもよい。また、上述した実施形態においては、付箋の画像をメニュー項目に付けているが、目印となる画像であれば付箋の画像に限定されるものではなく、絵文字や多角形の図形、文字列など、他の画像であってもよい。
【００５９】
上述した第２実施形態においてはメニュー項目の設定の履歴を記憶しているが、記憶した日時から経過した時間が予め定められた時間を越えた履歴については消去するようにしてもよい。なお、この構成においては、履歴を消去するまでの期間をユーザーが設定できるようにしてもよい。また、第２実施形態においては、メニュー項目の設定の履歴について、記憶する／しないの切り換えを行えるようにしてもよい。また、第２実施形態においては、記憶する履歴の数をユーザーが設定できるようにしてもよい。
【００６０】
上述した実施形態においては、プロジェクター１は、ユーザーがリモコンで行った操作に応じて動作しているが、リモコンに設けられているボタンではなく、操作部１０４に設けられているボタンで行われた操作に応じて、上述した実施形態の動作を行うようにしてもよい。
【００６１】
上述した実施形態においては、付箋画像を選択できる構成となっているが、付箋画像を選択できないようにしてもよい。よく設定を行うメニュー項目に付箋画像を付けた場合、複数のメニュー項目が並んでいても、よく設定を行うメニュー項目を付箋画像で容易に識別できるため、この構成でも、ユーザーの使用するメニュー項目を容易に選択できる。
【００６２】
上述した実施形態においては、表示するメニューはタブ形式のメニューとなっているが、表示するメニューはタブ形式のものに限定されるものではない。例えば、制御部１０２は、リモコンのメニューボタンが押された場合、図２０に示したように、タブＴ１〜Ｔ７の見出しを複数行で表示したメニューを表示してもよい。制御部１０２は、図２０の画面が表示されている状態においては、决定ボタンが押されると、選択している見出しのメニューを表示する。なお、この構成においては、１行目の見出しを選択しているときに上方向のカーソルボタンが押された場合や、最下行の見出しを選択しているときに下方向のカーソルボタンが押された場合、上述した実施形態と同様に付箋画像を選択し、選択している付箋画像が付けられたメニュー項目を有するメニューを表示する。
【００６３】
上述した実施形態においては、付箋画像を付けるメニュー項目を記憶部１０３に記憶させているが、メニュー項目毎に付箋画像の有無を表す情報を記憶し、付箋画像が有りとなっているメニュー項目について付箋画像を付けるようにしてもよい。
【００６４】
上方向のカーソルボタン又は下方向のカーソルボタンで付箋画像を選択する場合、付箋画像を選択する順番は、上述した実施形態の順番に限定されるものではない。
制御部１０２は、例えば、タブＴ１の１行目と２行目のメニュー項目に付箋画像が付けられ、タブＴ２の２行目のメニュー項目に付箋画像が付けられている場合、タブＴ１の１行目のメニュー項目に付けられた付箋画像を選択した後、タブＴ２の１行目のメニュー項目に付けられた付箋画像を選択し、その後にタブＴ１の２行目のメニュー項目に付けられた付箋画像を選択するようにしてもよい。
【００６５】
上述した実施形態においては、プロジェクター１の光源は、ランプに限定されるものではなく、レーザーダイオードやＬＥＤ（Light Emitting Diode）などであってもよい。また、画像を投写するための素子は、透過型の液晶ライトバルブに限定されるものではなく、反射型の液晶ライトバルブやＤＭＤ（Digital Mirror Device）などであってもよい。
【００６６】
本発明に係る機能を実現するプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリーなどのコンピューター読取り可能な記録媒体に記憶した状態で提供し、プロジェクター１にインストールしてもよい。また、インターネットや電話回線などの通信回線を介してプログラムをダウンロードしてプロジェクター１にインストールしてもよい。
【符号の説明】
【００６７】
１…プロジェクター、１０１…バス、１０２…制御部、１０２Ａ…ＣＰＵ、１０２Ｂ…ＲＯＭ、１０２Ｃ…ＲＡＭ、１０３…記憶部、１０４…操作部、１０５…赤外線受信部、１０６…映像処理部、１０７…投写部、１０８…ＯＳＤ部、２０１…書込部、２０２…表示制御部、２０３…選択部、Ｔ１〜Ｔ７…タブ、Ｍ１…メニュー、Ｍ２…サブメニュー。
【図１】
2014095973.tif 000003
【図２】
2014095973.tif 000004
【図３】
2014095973.tif 000005
【図４】
2014095973.tif 000006
【図５】
2014095973.tif 000007
【図６】
2014095973.tif 000008
【図７】
2014095973.tif 000009
【図８】
2014095973.tif 000010
【図９】
2014095973.tif 000011
【図１０】
2014095973.tif 000012
【図１１】
2014095973.tif 000013
【図１２】
2014095973.tif 000014
【図１３】
2014095973.tif 000015
【図１４】
2014095973.tif 000016
【図１５】
2014095973.tif 000017
【図１６】
2014095973.tif 000018
【図１７】
2014095973.tif 000019
【図１８】
2014095973.tif 000020
【図１９】
2014095973.tif 000021